(57)【要約】【課題】透かし彫りが施してあっても、比較的短時間で、廉価に製造することができる仏具用柱を提供する。【解決手段】第１芯材１及び第２芯材２を継手部材３によって連結し、第１芯材１及び第２芯材２に外嵌させた透彫筒部材４，４と継手部材３とを一体的に連結させる。頭部材５の嵌入部５１に第１芯材１の第１角材部１１を、第１芯材１の当接部１６が頭部材５の端面に当接するまで嵌入させることによって、頭部材５及び透彫筒部材４を一体的に連結する。脚部材６の嵌入部６１に第４角材部２４の基端部を、第２芯材２の当接部２６が脚部材６の端面に当接するまで嵌入させることによって、脚部材６及び透彫筒部材４を一体的に連結する。【選択図】図２
2006204539.tif 000002
【特許請求の範囲】
【請求項１】
仏具に使用される仏具用柱において、
筒体の周面に透かし彫りを施してなる透彫筒部材と、
透彫筒部材の軸長方向の長さより長い長さ寸法を有し、前記透彫筒部材内を、その両端部が透彫筒部材の両端から突出するように貫通させた棒状の芯材と、
この芯材の端部に嵌着させてあり、柱の頭部を構成する柱状の頭部材と、
前記芯材の端部に嵌着させてあり、柱の脚部を構成する柱状の脚部材と
を備えることを特徴とする仏具用柱。
【請求項２】
前記透彫筒部材の両端の開口部はそれぞれ矩形にしてあり、前記頭部材及び脚部材の透彫筒部材に対向する端部にはそれぞれ、透彫筒部材の開口部に内嵌する矩形環状の凸部が設けてある請求項１記載の仏具用柱。
【請求項３】
前記芯材は、前記透彫筒部材の両端に亘って透彫筒部材の内周面に対向する丸材部の両端に透彫筒部材から突出させる角材部をそれぞれ設けてなり、前記頭部材及び脚部材には、前記芯材の角材部を嵌入させる断面矩形の嵌入部がそれぞれ設けてあり、前記丸材部の両端には、その周縁を前記角材部の各側縁から突出させて、前記頭部材の嵌入部の周囲部分又は脚部材の嵌入部の周囲部分が当接する当接部がそれぞれ設けてある請求項１又は２記載の仏具用柱。
【請求項４】
一列に配した複数の芯材が、相隣る芯材の間に介装した柱状の継手部材によって連結してあり、各芯材にそれぞれ透彫筒部材が外嵌してある請求項１又は２記載の仏具用柱。
【請求項５】
各透彫筒部材の両端の開口部は矩形にしてあり、前記継手部材の両端には、対向する透彫筒部材の開口部に内嵌する矩形環状の凸部がそれぞれ設けてある請求項４記載の仏具用柱。
【請求項６】
前記芯材は、前記透彫筒部材の両端に亘って透彫筒部材の内周面に対向する丸材部の両端に透彫筒部材から突出させる角材部をそれぞれ設けてなり、
前記頭部材及び脚部材には、前記芯材の角材部を嵌入させる断面矩形の嵌入部がそれぞれ設けてあり、
前記継手部材の中心軸と平行をなす軸上には、継手部材を貫通し、前記軸に直交する断面形状が前記角部材に応じた形状の貫通孔が開設してあり、
前記丸材部の両端には、その周縁を前記角材部の各側縁から突出させて、前記頭部材の嵌入部の周囲部分、脚部材の嵌入部の周囲部分又は継手部材の貫通孔の周囲部分が当接する当接部がそれぞれ設けてあり、
相隣る両芯材の角材部を継手部材の両端から前記貫通孔内にそれぞれ、当該芯材の当接部が継手部材の貫通孔の周囲部分に当接するまで嵌入させることによって、両芯材が連結してある請求項４又は５記載の仏具用柱。
【発明の詳細な説明】
【技術分野】
【０００１】
本発明は、仏像を設置する宮殿を構成する柱及び仏壇を構成する柱等、仏具に用いる柱に関する。
【背景技術】
【０００２】
仏具用柱には、その周面に種々の模様を彫刻し又は装飾板（たとえば、特許文献１参照。）を取付けたものがあるが、荘厳さをより向上させるために、周面に浮彫りを施したものも用いられている。
【特許文献１】実用新案第３０３３４６７号公報
【発明の開示】
【発明が解決しようとする課題】
【０００３】
しかしながら、このような仏具用柱にあっては、更に荘厳さを向上させるべく、その周面に透かし彫りが施してあるものが要求されているが、無垢の材料に透かし彫りを施すには、長い時間と高度な技術とを要するため、そのような仏具用柱を実用的な時間及びコストで製造することは困難であった。
【０００４】
本発明は、斯かる事情に鑑みてなされたものであって、透かし彫りが施してあっても、比較的短時間で、廉価に製造することができる仏具用柱を提供する。
【課題を解決するための手段】
【０００５】
請求項１記載の本発明は、仏具に使用される仏具用柱において、筒体の周面に透かし彫りを施してなる透彫筒部材と、透彫筒部材の軸長方向の長さより長い長さ寸法を有し、前記透彫筒部材内を、その両端部が透彫筒部材の両端から突出するように貫通させた棒状の芯材と、この芯材の端部に嵌着させてあり、柱の頭部を構成する柱状の頭部材と、前記芯材の端部に嵌着させてあり、柱の脚部を構成する柱状の脚部材とを備えることを特徴とする。
【０００６】
請求項２記載の本発明は、前記透彫筒部材の両端の開口部はそれぞれ矩形にしてあり、前記頭部材及び脚部材の透彫筒部材に対向する端部にはそれぞれ、透彫筒部材の開口部に内嵌する矩形環状の凸部が設けてあることを特徴とする。
【０００７】
請求項３記載の本発明は、前記芯材は、前記透彫筒部材の両端に亘って透彫筒部材の内周面に対向する丸材部の両端に透彫筒部材から突出させる角材部をそれぞれ設けてなり、前記頭部材及び脚部材には、前記芯材の角材部を嵌入させる断面矩形の嵌入部がそれぞれ設けてあり、前記丸材部の両端には、その周縁を前記角材部の各側縁から突出させて、前記頭部材の嵌入部の周囲部分又は脚部材の嵌入部の周囲部分が当接する当接部がそれぞれ設けてあることを特徴とする。
【０００８】
請求項４記載の本発明は、一列に配した複数の芯材が、相隣る芯材の間に介装した柱状の継手部材によって連結してあり、各芯材にそれぞれ透彫筒部材が外嵌してあることを特徴とする。
【０００９】
請求項５記載の本発明は、各透彫筒部材の両端の開口部は矩形にしてあり、前記継手部材の両端には、対向する透彫筒部材の開口部に内嵌する矩形環状の凸部がそれぞれ設けてあることを特徴とする。
【００１０】
請求項６記載の本発明は、前記芯材は、前記透彫筒部材の両端に亘って透彫筒部材の内周面に対向する丸材部の両端に透彫筒部材から突出させる角材部をそれぞれ設けてなり、前記頭部材及び脚部材には、前記芯材の角材部を嵌入させる断面矩形の嵌入部がそれぞれ設けてあり、前記継手部材の中心軸と平行をなす軸上には、継手部材を貫通し、前記軸に直交する断面形状が前記角部材に応じた形状の貫通孔が開設してあり、前記丸材部の両端には、その周縁を前記角材部の各側縁から突出させて、前記頭部材の嵌入部の周囲部分、脚部材の嵌入部の周囲部分又は継手部材の貫通孔の周囲部分が当接する当接部がそれぞれ設けてあり、相隣る両芯材の角材部を継手部材の両端から前記貫通孔内にそれぞれ、当該芯材の当接部が継手部材の貫通孔の周囲部分に当接するまで嵌入させることによって、両芯材が連結してあることを特徴とする。
【発明の効果】
【００１１】
請求項１記載の本発明では、仏具用柱は、筒体の周面に透かし彫りを施してなる透彫筒部材内に棒状の材芯材を、その両端部が透彫筒部材の両端から突出するように貫通させ、この芯材の端部に嵌着させてあり、柱の頭部を構成する柱状の頭部材と、前記芯材の端部に嵌着させてあり、柱の脚部を構成する柱状の脚部材とを備えるため、透彫筒部材、芯材、頭部材及び脚部材を各別に製造して、それらを一体的な柱状に組み立てて形成することができる。このように、仏具用柱を複数の部材で構成した場合、各部材は比較的容易に製造することができるので、透かし彫りが施してあっても、当該仏具用柱を比較的短時間で、廉価に製造することができる。
【００１２】
一方、仏具を構成する屋根部等の他の部材の荷重が仏具用柱の頭部材に印加されるが、かかる荷重は頭部材を介して、当該頭部材を嵌着させた芯材で受けるため、透彫筒部材には前記荷重が殆ど印加されず、透かし彫りを施すことによって構造強度が脆弱な透彫筒部材に破損等が生じることが防止される。
【００１３】
請求項２記載の本発明では、透彫筒部材の両端の開口部はそれぞれ矩形にしてあり、頭部材及び脚部材の透彫筒部材に対向する端部にはそれぞれ、透彫筒部材の開口部に内嵌する矩形環状の凸部が設けてあるため、透彫筒部材が芯部材の中心軸周りに回動することが禁止される。従って、複数の部材を組み立てて構成した仏具用柱であっても、無垢の柱と同様、一体的な柱として機能することができる。
【００１４】
請求項３記載の本発明では、芯材は、透彫筒部材の両端に亘って透彫筒部材の内周面に対向する丸材部の両端に透彫筒部材から突出させる角材部をそれぞれ設けてなり、頭部材及び脚部材には、芯材の角材部を嵌入させる断面矩形の嵌入部がそれぞれ設けてあるため、頭部材及び脚部材が芯材の中心軸周りに回動することが禁止される。これによって、当該仏具用柱を用いて仏具を構築する際に、無垢の柱と同様に取り扱うことができ、構築作業を効率的に実施することができる。また、かかる仏具用柱を用いて構築した仏具の構造強度も高強度に維持される。
【００１５】
また、前述した丸材部の両端には、その周縁を前記角材部の各側縁から突出させて、前記頭部材の嵌入部の周囲部分又は脚部材の嵌入部の周囲部分が当接する当接部がそれぞれ設けてあるため、例えば、頭部材に印加される荷重を、透彫筒部材にではなく、当接部を介して芯材に伝えることができる。従って、頭部材及び脚部材に、それを貫通する貫通孔を設けた場合であっても、頭部材及び脚部材は当接部に当接して芯部材に支持されることとなり、透彫筒部材に破損等が生じることが防止される。そして、嵌入部として前述した貫通孔を形成することができるため、頭部材及び脚部材に嵌入部を形成する作業を容易にすることができる。
【００１６】
請求項４記載の本発明では、一列に配した複数の芯材が、相隣る芯材の間に介装した柱状の継手部材によって連結してあり、各芯材にそれぞれ透彫筒部材が外嵌してあるため、比較的長い仏具用柱であっても、所定寸法の透彫筒部材を用いて製造することができ、当該仏具用柱の製造に要するコストを可及的に低減することができる。
【００１７】
請求項５記載の本発明では、各透彫筒部材の両端の開口部は矩形にしてあり、前記継手部材の両端には、対向する透彫筒部材の開口部に内嵌する矩形環状の凸部がそれぞれ設けてあるため、継手部材によっても、各透彫筒部材が芯材の中心軸周りに回動することを禁止することができる。
【００１８】
請求項６記載の本発明では、継手部材の中心軸と平行をなす軸上には、継手部材を貫通し、前記軸に直交する断面形状が前記角部材に応じた形状の貫通孔が開設してあり、相隣る両芯材の角材部を継手部材の両端から前記貫通孔にそれぞれ、当該芯材の当接部が継手部材の貫通孔の周囲部分に当接するまで嵌入させることによって、両芯材が連結してあるため、相隣る両芯材を継手部材によって連結させる作業を容易に行なうことができる。一方、前記貫通孔を開設する作業は比較的容易であるため、短時間で廉価に継手部材を製造することができる。
【００１９】
また、芯材は、透彫筒部材の両端に亘って透彫筒部材の内周面に対向する丸材部の両端に透彫筒部材から突出させる角材部をそれぞれ設けてなり、頭部材及び脚部材には、芯材の角材部を嵌入させる断面矩形の嵌入部がそれぞれ設けてあるため、頭部材及び脚部材が芯材の中心軸周りに回動することが禁止される。これによって、当該仏具用柱を用いて仏具を構築する際に、無垢の柱と同様に取り扱うことができ、構築作業を効率的に実施することができる。また、かかる仏具用柱を用いて構築した仏具の構造強度も高強度に維持される。
【００２０】
また、前述した丸材部の両端には、その周縁を前記角材部の各側縁から突出させて、頭部材の嵌入部の周囲部分、脚部材の嵌入部の周囲部分又は継手部材の貫通孔の周囲部分が当接する当接部がそれぞれ設けてあるため、例えば、頭部材に印加される荷重を、透彫筒部材にではなく、当接部を介して芯材及び継手部材に伝えることができる。従って、頭部材及び脚部材に、それを貫通する貫通孔を設けた場合であっても、頭部材及び脚部材は当接部に当接して芯部材に支持されることとなり、透彫筒部材に破損等が生じることが防止される。そして、嵌入部として前述した貫通孔を形成することができるため、頭部材及び脚部材に嵌入部を形成する作業を容易にすることができる。
【発明を実施するための最良の形態】
【００２１】
本発明に係る仏具用柱は、筒体の周面に透かし彫りを施してなる透彫筒部材内に、透彫筒部材の軸長方向の長さより長い長さ寸法を有する芯材を、その両端部が透彫筒部材の両端から突出するように貫通させ、この芯材の端部に、柱の頭部を構成する柱状の頭部材を嵌着させ、芯材の端部に、柱の脚部を構成する柱状の脚部材を嵌着させ、一体的な柱状になしてある。
【００２２】
この透彫筒部材の両端の開口部はそれぞれ矩形にしてあり、頭部材及び脚部材の透彫筒部材に対向する端部にはそれぞれ、透彫筒部材の開口部に内嵌する矩形環状の凸部が設けてある。
【００２３】
一方、前記芯材は、透彫筒部材の両端に亘って透彫筒部材の内周面に対向する丸材部の両端に透彫筒部材から突出させる角材部をそれぞれ設けて構成してある。一方、頭部材及び脚部材には、前記芯材の角材部を嵌入させる断面矩形の嵌入部がそれぞれ設けてあり、前記丸材部の両端には、その周縁を前記角材部の各側縁から突出させて、前記頭部材の嵌入部の周囲部分又は脚部材の嵌入部の周囲部分が当接する当接部がそれぞれ設けてある。
【００２４】
また、一列に配した複数の芯材が、相隣る芯材の間に介装した柱状の継手部材によって連結してあり、各芯材にそれぞれ透彫筒部材が外嵌して仏具用柱を構成することもできる。
【００２５】
このとき、各透彫筒部材の両端の開口部は矩形にしてあり、継手部材の両端には、対向する透彫筒部材の開口部に内嵌する矩形環状の凸部がそれぞれ設けてある。
【００２６】
更に、芯材は、透彫筒部材の両端に亘って透彫筒部材の内周面に対向する丸材部の両端に透彫筒部材から突出させる角材部をそれぞれ設けてなり、頭部材及び脚部材には、前記芯材の角材部を嵌入させる断面矩形の嵌入部がそれぞれ設けてある。加えて、前述した継手部材の中心軸と平行をなす軸上には、継手部材を貫通し、前記軸に直交する断面形状が前記角部材に応じた形状の貫通孔が開設してある。そして、芯材の丸材部の両端には、その周縁を前記角材部の各側縁から突出させて、前記頭部材の嵌入部の周囲部分、脚部材の嵌入部の周囲部分又は継手部材の貫通孔の周囲部分が当接する当接部がそれぞれ設けてあり、相隣る両芯材の角材部を継手部材の両端から前記貫通孔内にそれぞれ、当該芯材の当接部が継手部材の貫通孔の周囲部分に当接するまで嵌入させることによって、両芯材が連結してある。
【００２７】
次に、本発明に係る仏具用柱を図面に基づいて詳述する。
【００２８】
図４は、本発明に係る仏具用柱の使用様態を示す側面図であり、図中、Ｇは、仏具の一例たる宮殿である。
【００２９】
宮殿Ｇは、例えば平面視が凸形状の台座部Ｄを備えている。台座部Ｄの中央部分に、透かし彫りを施した６本の仏具用柱Ａ，Ａ，…が、前後左右へ距離を隔てて立設してあり、これら仏具用柱Ａ，Ａ，…によって屋根部Ｙを担持させてある。また、各仏具用柱Ａ，Ａ，…の端寸柱状の頭部材６，６，…には、梁Ｈ，Ｈ，…に設けたほぞを嵌入させるほぞ穴又はほぞ溝が設けてあり、かかるほぞ穴又はほぞ溝にほぞを貫通させることにより、仏具用柱Ａ，Ａ，…と梁Ｈ，Ｈ，…とが組み付けてある。
【００３０】
そして、前記台座部Ｄの仏具用柱６，６，…で囲まれる領域内に，仏像（図示せず）が設置されるようになっている。
【００３１】
図１は、本発明に係る仏具用柱を示す正面図であり、仏具用柱Ａは、後述する如く、複数の部材から構成されている。また、図２は、図１に示した仏具用柱Ａの分解図である。図１及び図２に示した如く、仏具用柱Ａは、縦方向へ一列に配した棒状の第１芯材１及び第２芯材２を備えており、両第１芯材１及び第２芯材２は短寸柱状の継手部材３で連結してある。
【００３２】
第１芯材１は、円柱状の丸材部１５の両端からそれぞれ、四角柱状の第１角材部１１及び第２角材部１２を延設してなり、第１角材部１１は第２角材部１２より長くしてある。一方、第１角材部１１の外寸及び第２角材部１２の外寸は同じにしてある。
【００３３】
この丸材部１５の両端の周縁部は、第１角材部１及び第２角材部２の四角形の各側縁部から突出させてあり、丸材部１５の第１角材部１１から突出させた部分は、前述した頭部材５が当接する当接部１６に、また、丸材部１５の第２角材部１２から突出させた部分は、前述した継手部材３の一端が当接する当接部１６にしてある。
【００３４】
また、第２芯材２も、丸材部２５の両端からそれぞれ、四角柱状の第３角材部２３及び第４角材部２４を延設して構成してあり、第４角材部２４は第３角材部２３より長くしてある。この第４角材部２４の先端部分２４ｂの外寸は、基端部分２４ａの外寸より小さくしてあり、これによって、第４角材部２４には、内径が異なる２つの筒状部材を外嵌し得るようになっている。一方、第３角材部２３の外寸及び第４角材部２４の基端部分２４ａの外寸は、前述した第１角材部１１の外寸及び第２角材部１２の外寸と同じである。また、第２芯材２の丸材部２５と第１芯材１の丸材部１５とは同じ寸法にしてある。
【００３５】
第２芯材２の丸材部２５の両端の周縁部も、第３角材部２３及び第４角材部２４の四角形の各側縁部から突出させてあり、丸材部２５の第３角材部２３から突出させた部分は、継手部材３が当接する当接部２６に、また、丸材部２５の第４角材部２４から突出させた部分は、後述する脚部材６の一端が当接する当接部２６にしてある。
【００３６】
継手部材３は、第２角材部１２の長さ寸法及び第３角材部２３の長さ寸法を合わせたと同じ寸法又はそれより僅かに長い長さ寸法の円柱体の中心軸上に、第２角材部１２及び第３角材部２３を嵌入させるべく、第２角材部１２及び第３角材部２３の外寸より僅かに大きい内寸になしてあり、前記円柱体を貫通する貫通孔３１が開設してなり、継手部材３の両端面であって、前記貫通孔３１の両端開口の周囲には、矩形環状の凸部３２，３２がそれぞれ設けてある。
【００３７】
そして、継手部材３の両端から貫通孔３１内へ、第１芯材１の第２角材部１２及び第２芯材２の第３角材部２３を、第１芯材１の当接部１６及び第２芯材２の当接部２６がそれぞれ継手部材３の貫通孔３１の周囲部分に当接するまで嵌入させることによって、第１芯材１及び第２芯材２が継手部材３によって連結してある。この場合、継手部材３の両凸部３２，３２は、第１芯材１の丸材部１５及び第２芯材２の丸材部２５に外嵌している。
【００３８】
このように継手部材３で連結した第１芯材１の丸材部１５及び第２芯材２の丸材部２５の周囲には、両丸材部１５，２５の長さ寸法と同じ長さ寸法の透彫筒部材４，４が、両丸材部１５，２５の中心軸と同心円上に外嵌配置してある。
【００３９】
図３は、図１及び図２に示した透彫筒部材４を示す斜視図である。図３に示した如く、透彫筒部材４は、円筒体の周面に透かし彫りを施して透彫り部４３を形成してなり、透彫筒部材４の両端には、前記円筒体の両端部内に、円筒体の内寸と同じ外寸の円板の中央に、図２に示した凸部３１の外寸より僅かに大きい内寸の矩形孔を開設してなる環状部材を嵌着することによって、矩形開口部４１，４１が形成してある。
【００４０】
このように、透彫筒部材４は、円筒体の周面に透かし彫りを施すことによって透彫り部４３が形成してあるため、無垢の柱から削り出す場合に比べて、短時間で、容易に製造することができ、廉価である。
【００４１】
そして、図１及び図２に示した如く、両透彫筒部材４，４の矩形開口部４１，４１を継手部材３の両端に設けた凸部３１，３１に外嵌させてあり、これによって、透彫筒部材４，４と継手部材３とを一体的に連結させると共に、透彫筒部材４，４が第１芯材１の中心軸周り及び第２芯材２の中心軸周りに回動することを禁止している。
【００４２】
一方、第１芯材１の第１角材部１１には、前述した頭部材５が、また、第２芯材２の第４角材部２４には、後述する脚部材６がそれぞれ嵌着してある。
【００４３】
頭部材５は、例えば、第１角材部１１の軸長方向の長さより長い長さ寸法の円柱体の一端を先断砲弾状に加工し、この部分にほぞ溝５５を削設すると共に、前記円柱体の周面を貫通するほぞ穴５６等を開設して形成してある。また、頭部材５の中心軸上には、前述した第１芯材１の第１角材部１１の外寸と略同じ内寸を有し、第１角材部１１を嵌入させる嵌入部５１が、当該頭部材５を貫通する様態で開設してあり、頭部材５の端面には、透彫筒部材４の矩形開口部４１に内嵌させる矩形環状の凸部５２が、前記嵌入部５１の開口を取り囲むように設けてある。
【００４４】
なお、本実施の形態では、頭部材５を貫通する様態で嵌入部５１を形成した場合について説明したが、本発明はこれに限らず、頭部材５の中途位置まで穿設した穴状に構成してもよい。
【００４５】
そして、頭部材５の嵌入部５１に第１芯材１の第１角材部１１を、第１芯材１の当接部１６が頭部材５の端面に当接するまで嵌入させることによって、頭部材５及び透彫筒部材４を一体的に連結すると共に、頭部材５及び継手部材３にて透彫筒部材４を挟持する。このとき、頭部材５の凸部５２が透彫筒部材４の矩形開口部４１内に嵌合し、当該凸部５２によっても透彫筒部材４の回動が禁止される。
【００４６】
一方、第２芯材２の第４角材部２４に嵌着させた脚部材６は、第４角材部２４の基端部分２４ａの長さ寸法と略同じ長さ寸法の円柱体の中心軸上に、第４角材部２４の基端部分２４ａの外寸と略同じ内寸を有し、第４角材部２４の基端部分２４ａを嵌入させる嵌入部６１を、当該脚部材６を貫通する様態で開設してなり、脚部材６の一端面には、透彫筒部材４の矩形開口部４１に内嵌させる矩形環状の凸部６２が、前記嵌入部６１の開口を取り囲むように設けてある。
【００４７】
そして、脚部材６の嵌入部６１に第４角材部２４の基端部を、第２芯材２の当接部２６が脚部材６の端面に当接するまで嵌入させることによって、脚部材６及び透彫筒部材４を一体的に連結すると共に、脚部材６及び継手部材４にて透彫筒部材４を挟持する。このとき、脚部材６の凸部６２が透彫筒部材４の矩形開口部４１内に嵌合し、当該凸部６２によっても透彫筒部材４の回動が禁止される。
【００４８】
このように仏具用柱Ａを構成することによって、頭部材５に印加される荷重は、第１芯材１及び第２芯材２にて支持され、透彫筒部材４，４には印加されないため、構造強度が脆弱な透彫筒部材４，４に破損等が生じることが防止される。また、頭部材５、脚部材６、第１芯材１、第２芯材２、継手部材３、及び透彫筒部材４，４は、それぞれ比較的容易に、短時間で製造することができ、廉価な仏具用柱Ａを得ることができる。また、各部材１，２，３，４，５，６への塗装、彩色等を容易に行なうこともできる。更に、これら頭部材５、脚部材６、第１芯材１、第２芯材２、継手部材３、及び透彫筒部材４，４を組み付けて、１本の一体的な柱になすことができ、より荘厳的な仏具用柱Ａを得ることができる一方、かかる仏具用柱Ａを用いて仏具を構築する作業を容易に行なうことができる。
【００４９】
なお、本実施の形態で説明した頭部材５、脚部材６、第１芯材１、第２芯材２、継手部材３、及び透彫筒部材４，４は木材で形成してあるが、本発明はこれに限らず、金属、コンクリート等の他の材料を用いてもよい。
【００５０】
なお、図１及び図２に示した仏具用柱Ａにあっては、第２芯材２の第４角材部２４の先端部分２４ｂに脚部材６とは異なる他の脚部材を嵌合し得るようにしてあるが、本発明はこれに限らず、先端部分２４ｂを設けていない第４角材部を用いるようにしてもよい。この場合、脚部材６に嵌入部を、脚部材６の中途位置まで穿設した穴状に構成することもできる。
【００５１】
また、本実施の形態では、第１芯材１及び第２芯材２を継手部材３で連結した仏具用柱Ａを示したが、本発明はこれに限らず、例えば、透彫筒部材４を外嵌させた第１芯材１の第１角材部１１に頭部材５を嵌着させ、当該第１芯材１第２角材部１２に脚部材５を嵌着させ、頭部材５、透彫筒部材４及び脚部材６を一体的に連結させると共に、頭部材５及び脚部材６によって透彫筒部材４を挟持するように構成した仏具用柱であってもよい。
【００５２】
更に、以上説明した仏具用柱を仏壇に適用させてもよいことはいうまでもない。
【図面の簡単な説明】
【００５３】
【図１】本発明に係る仏具用柱を示す正面図である。
【図２】図１に示した仏具用柱の分解図である。
【図３】図１及び図２に示した透彫筒部材を示す斜視図である。
【図４】本発明に係る仏具用柱の使用様態を示す側面図である。
【符号の説明】
【００５４】
１    第１芯材
２    第２芯材
３    継手部材
４    透彫筒部材
５    頭部材
６    脚部材
１１    第１角材部
１２    第２角材部
１５    丸材部
１６    当接部
２３    第３角材部
２４    第４角材部
２４ａ  基端部分
２４ｂ  先端部分
２５    丸材部
２６    当接部
３１    嵌入部
３２    凸部
４１    矩形開口部
４３    透彫り部
５１    嵌入部
５２    凸部
６１    嵌入部
６２    凸部
Ａ    仏具用柱
【図１】
2006204539.tif 000003
【図２】
2006204539.tif 000004
【図３】
2006204539.tif 000005
【図４】
2006204539.tif 000006